(57)【要約】【課題】各種のデータに、テキストを付加し、コンピュータ内部では、該テキストを付加されたデータを用いて、基の各種のデータの管理を行い、暗号化されたデータや圧縮されたデータなど、そのままでは内容が把握できないデータを利用しやすく管理しやすいコンピュータシステムを提供すること。【解決手段】各種のデータにテキストを付加する手段と、該テキストを付加された各種のデータのテキストを表示する手段と、該テキストを付加された各種のデータの基のデータ部分を抽出する手段と、該付加されたテキストを用いて、各種のデータのキーワード検索などを行う手段により、コンピュータを利用する上で、人が各種のデータを利用しやすく管理しやすい、コンピュータシステムを実現する。【選択図】    図１
2005158001.tif 000002
【特許請求の範囲】
【請求項１】
コンピュータ内部での各種のデータに、テキストを付加し、コンピュータ内部では、該テキストを付加されたデータを用いて、基の各種のデータの管理を行う手段を備えたことを特徴とする、テキストを付加したデータ保存管理システム。
【請求項２】
前記、テキストを付加した各種のデータのテキストを表示し、基のデータを抽出する手段を備えたことを特徴とする、請求項１記載のテキストを付加したデータ保存管理システム。
【請求項３】
前記、テキストを付加した各種のデータに対して、付加されたテキストに基づいてキーワード検索などにより、該各種のデータ群から希望のデータを抽出する手段を備えたことを特徴とする、請求項１記載のテキストを付加したデータ保存管理システム。
【請求項４】
請求項１、請求項２、請求項３、に記載のテキストを付加したデータ保存管理システムを、コンピュータにおいて実現するためのプログラム。
【発明の詳細な説明】
【技術分野】
【０００１】  本発明は、コンピュータ内部での各種のデータにテキストを付加し、コンピュータ内部では、該テキストを付加したデータを用いて基の各種のデータの管理を行う方法に係り、コンピュータ内部での各種のファイル、圧縮されたファイル、暗号化されたファイルなどにテキストを付加し、該各種のデータを、データに付加されたテキストを用いて一元管理することを可能とする、テキストを付加したデータ保存管理システムに関する。
【背景技術】
【０００２】  今日、パソコンが普及し、パソコンで各種のデータが利用されるのが一般的になって来ている。このような状況において、コンピュータ内部の大量の各種のデータをいかにして管理してゆくのか、ということが重要な課題となってきている。これに対して、フォルダ（ディレクトリ）、ファイル名、ファイルの拡張子などを用いて、データの管理を行うという方法が取られてきている。しかし、これらの方法ではファイルの内容にまで踏み込んだ管理を行うことは出来ていない。
【発明の開示】
【発明が解決しようとする課題】
【０００３】  そこで本発明は上記事情に鑑みて、各種のデータにデータの概要などを記述したテキストを付加し、該付加されたテキストを用いて、基の各種のデータ管理を行うことが可能なシステムを提供することを目的とする。
【課題を解決するための手段】
【０００４】  上記目的を達成するために、本発明のテキストを付加したデータ保存管理システムは、各種のデータにテキストを付加する手段と、該テキストを付加された各種のデータのテキストを表示する手段と、該テキストを付加された各種のデータの基のデータ部分を抽出する手段と、該付加されたテキストを用いて、各種のデータのキーワード検索などを行う手段とを備えるように構成したものである。【０００５】  上記構成により、コンピュータ内部での各種のデータにテキストを付加し、コンピュータ内部では、該付加されたテキストを用いて基の各種のデータの管理を行うことにより、暗号化されたデータとか、圧縮されたデータとか、そのままでは内容が把握できないデータを付加されたテキストを用いることにより、コンピュータを利用する上で、人が各種のデータを利用しやすく管理しやすい環境が、容易に実現が可能となる。
【発明の効果】
【０００６】  以上説明したように、本発明のテキストを付加したデータ保存管理システムによれば、各種のデータにテキストを付加する手段と、該テキストを付加された各種のデータのテキストを表示する手段と、該テキストを付加された各種のデータの基のデータ部分を抽出する手段と、該付加されたテキストを用いて、各種のデータのキーワード検索などの各種の検索を行う手段とを備えるように構成したものであり、上記構成により、コンピュータ内部での各種のデータにテキストを付加し、コンピュータ内部では、該付加されたテキストを用いて基の各種のデータの管理を行うことにより、暗号化されたデータとか、圧縮されたデータとか、そのままでは内容が把握できないデータを付加されたテキストを用いることにより、コンピュータを利用する上で、人が各種のデータを利用しやすく管理しやすい環境を実現する、テキストを付加したデータ保存管理システムが実現されるという効果が得られる。
【発明を実施するための最良の形態】
【０００７】  コンピュータ内部での各種のデータにテキストを付加し、該付加されたテキストを用いて基の各種のデータの管理を行うという、データ保存管理の形態。
【実施例１】
【０００８】  図１は、本発明の実施形態に係る、コンピュータ内部での各種のデータにテキストを付加し、コンピュータ内部では、該付加されたテキストを用いて基の各種のデータの管理を行うことにより、暗号化されたデータとか、圧縮されたデータとか、そのままでは内容が把握できないデータを付加されたテキストを用いることにより、コンピュータを利用する上で、人が各種のデータを利用しやすく管理しやすい環境を実現する、テキストを付加したデータ保存管理システムのブロック図である。以下図１を用いて説明してゆく。【０００９】  まず、データＤ１に対して、該データＤ１の概要を記述したテキストＤ２を作成する。次に、結合処理Ｐ１により、該データＤ１に該テキストＤ２を付加したデータＤ３を作成する。該データＤ３は、テキスト表示処理Ｐ２により、付加されたテキストが表示され、該データＤ３の概要が理解されることとなる。また、データ抽出処理Ｐ３により、該データＤ３のデータ部分としての該データＤ２が抽出されることとなる。さらに、テキストに基づくデータ検索処理Ｐ４により、テキストを付加したデータ群の中から、希望のデータが抽出される。【００１０】  図２は、前記、テキストを付加したデータを処理するコンピュータのプログラムにおけるグラフィックユーザインターフェース画面の例を示した図である。図２で、グラフィックユーザインターフェース画面Ｄ４は、「新規」メニューＤ４１、「開く」メニューＤ４２、「保存」メニューＤ４３、「抽出」メニューＤ４４、「検索」メニューＤ４５、テキストの表示および入力ウィンドウＤ４６、から構成されている。「新規」メニューＤ４１をクリックすることにより、基のデータのファイル名を入力する画面が表示され、基のデータのファイル名を入力し、次に、該基のデータの概要を、該テキストの表示および入力ウィンドウＤ４６から入力する。次に、該「保存」メニューをクリックして、ファイル名を入力することにより、基のデータにテキストを付加したデータが新規に作成されることとなる。「開く」メニューＤ４２をクリックすると、ファイル名の入力画面が表示され、テキストを付加されたデータのファイル名を入力することにより、該テキストの表示および入力ウィンドウＤ４６に、テキストを付加されたデータファイルのテキスト部分が表示される。次に、「抽出」メニューをクリックすることにより、該テキストを付加されたデータファイルのデータ部分が抽出される。「検索」メニューをクリックすることにより、検索画面が表示され、この画面に従って、キーワードなどを入力することにより、テキストを付加されたデータファイル群から、希望のデータファイルが抽出される。【００１１】  図３は、前記、テキストを付加したデータを処理するコンピュータのプログラムにおけるグラフィックユーザインターフェース画面で、「検索」メニューをクリックした時に表示される検索画面の例を示した図である。図３で、検索画面Ｄ５は、検索テキスト入力フィールドＤ５１、検索ディレクトリ入力フィールドＤ５２、検索結果の表示フィールドＤ５３、から構成されている。検索テキスト入力フィールドＤ５１に、キーワードなどのテキストを入力し、検索対象のデータが保存されてい���ディレクトリを、該検索ディレクトリ入力フィールドＤ５２に入力して指定することにより、キーワードをテキストに含むデータが検出され、一覧が、該検索結果の表示フィールドＤ５３、に表示される。
【図面の簡単な説明】
【００１２】
【図１】  本発明の実施形態に係る、テキストを付加したデータ保存管理システムの方式のブロック図である。
【図２】  本発明の実施形態に係る、テキストを付加したデータを処理するコンピュータのプログラムのグラフィックユーザインターフェース画面の例を示した図である。
【図３】  本発明の実施形態に係る、グラフィックユーザインターフェース画面で、「検索」メニューをクリックした時に表示される検索画面の例を示した図である。
【符号の説明】
【００１３】Ｄ１  データ
Ｄ２  テキスト
Ｄ３  テキストを付加したデータ
Ｄ４  グラフィックユーザインターフェース画面
Ｄ４１  「新規」メニュー
Ｄ４２  「開く」メニュー
Ｄ４３  「保存」メニュー
Ｄ４４  「抽出」メニュー
Ｄ４５  「検索」メニュー
Ｄ４６  テキストの表示および入力ウィンドウ
Ｄ５  検索画面
Ｄ５１  検索テキスト入力フィールド
Ｄ５２  検索ディレクトリ入力フィールド
Ｄ５３  検索結果の表示フィールド
Ｐ１  結合処理
Ｐ２  テキスト表示処理
Ｐ３  データ抽出処理
Ｐ４  テキストに基づくデータ検索処理
【図１】
2005158001.tif 000003
【図２】
2005158001.tif 000004
【図３】
2005158001.tif 000005